(57)【特許請求の範囲】
【請求項１】
吸収器、蒸気を熱源とする再生装置、凝縮器および蒸発器を有し、前記蒸発器から冷水を得る吸収冷凍機であって、
前記再生装置からの蒸気ドレンにより、前記吸収器から再生装置に供給される吸収液を予熱する蒸気ドレン熱交換器と、
前記蒸気ドレン熱交換器へ前記蒸気ドレンを供給する蒸気ドレン導入通路内の液面レベルを検出する液面レベル検出器と、
前記液面レベルが所定値を越えたとき前記蒸気ドレン熱交換器からドレン水を排出するドレン排出通路を開放する開閉装置とを備えた吸収冷凍機。
【請求項２】
請求項１において、前記液面レベル検出器および開閉装置は、フロート式蒸気トラップにより形成されている吸収冷凍機。
【請求項３】
請求項１において、前記液面レベル検出器は前記液面レベルを検出して電気信号を発生するレベルセンサである吸収冷凍機。
【請求項４】
請求項１から３のいずれかにおいて、前記再生装置は、前記吸収器からの吸収液を予熱する低温再生器と、蒸気を熱源として前記低温再生器からの吸収液を加熱し、吸収液が蒸発した冷媒蒸気を前記低温再生器に熱源として供給する高温再生器とを備え、前記高温再生器から前記蒸気ドレンが導出されている吸収冷凍機。
【請求項５】
請求項４において、前記低温再生器からの吸収液を高温再生器に供給する中間液通路に、高温再生器から吸収器へ向かう高温の吸収液を熱源として中間液通路の吸収液を予熱する高温熱交換器が設けられ、前記中間液通路に、前記高温熱交換器と並列に前記蒸気ドレン熱交換器が接続されている吸収冷凍機。
【請求項６】
請求項４において、前記低温再生器からの吸収液を高温再生器に供給する中間液通路に、高温再生器から吸収器へ向かう高温の吸収液を熱源として中間液通路の吸収液を予熱する高温熱交換器が設けられ、前記中間液通路に、前記高温熱交換器と直列に前記蒸気ドレン熱交換器が接続されている吸収冷凍機。
【請求項７】
請求項２において、前記フロート式蒸気トラップは、
前記蒸気ドレン導入通路に接続されて蒸気ドレンが導入されるフロート室と、隔壁によって前記フロート室から隔離された弁室とを有し、
前記フロート室内の液面レベルに応じて上下動するフロートと、前記フロートを支持し支軸回りに回動するレバーとが前記フロート室内に配置されて前記液面ベル検出器を形成しており、
前記支軸が前記隔壁を貫通してフロート室から弁室内に延びており、
前記ドレン排出通路を開閉する前記開閉装置の弁体が前記支軸に連結されて前記弁室内に配置されている吸収冷凍機。
【発明の詳細な説明】
【０００１】
【発明の属する技術分野】
本発明は、蒸気加熱式二重効用形吸収冷凍機に関し、詳しくは排熱を効率良く回収して熱効率を改善した吸収冷凍機に関する。
【０００２】
【従来の技術】
吸収冷凍機は、機内を循環する吸収液の濃度変化により冷水を取り出すことができるようになっている。例えば二重効用形の吸収冷凍機では、その構成が、図１１に示すように、真空容器からなる蒸発器７６と吸収器７１、これらよりは圧力の高い容器の低温再生器７３、凝縮器７５、および外部から熱エネルギの供給を受ける高温再生器７４からなっている。
【０００３】
蒸発器７６では、高真空下で蒸発器管７６ｐの外面に流下された冷媒液７７ｗによって、蒸発器管７６ｐを流れる水８１から蒸発潜熱を奪い、水８１を冷却する。吸収器７１では、蒸発器７６で発生した冷媒蒸気７７ｇを吸収器管７１ｐを流れる冷却水８２で冷却することにより、冷媒蒸気７７ｇを吸収液８３に吸収させると共に、真空容器内を高い真空に保持する。低温再生器７３では、高温再生器７４で分離蒸発した冷媒蒸気７７ｇを低温再生器管７３ｐに流し、その冷媒蒸気７７ｇの潜熱で吸収液８３を加熱濃縮し、冷媒７７ｇを分離蒸発させる。高温再生器７４では、吸収液８３を加熱濃縮して冷媒蒸気７７ｇを発生させる。凝縮器７５では、凝縮器管７５ｐを流れる冷却水８２が、低温再生器７３で蒸発した冷媒蒸気７７ｇを冷却して凝縮させる。なお、吸収器管７１ｐを流通した後に凝縮器管７５ｐを流通した冷却水８２は、図示しない冷却塔で冷却した後に、吸収器管７１ｐに循環される。
【０００４】
高温再生器７４へは、例えば高温の蒸気８４を高温再生器管７４ｐに導入して、吸収液８３を加熱するようにしている。
【０００５】
このような吸収冷凍機においては二重効用の原理に基づき省エネ化が進められているが、その系内での熱交換効率の向上を図るために、図１１に示すように高温熱交換器９１および低温熱交換器９２が設置される。高温熱交換器９１は低温再生器７３から高温再生器７４に向かう吸収液８３を予熱するもので、その熱源として高温再生器７４から導出された高温の吸収液８３が導入される。低温熱交換器９２は低温再生器７３に向かう吸収液８３を予熱するもので、低温再生器７３から導出された吸収液８３および高温熱交換器９１を出た吸収液８３が吸収器７１に戻される途中で熱源として利用されるようになっている。
【０００６】
吸収冷凍機の効率をさらに改善する目的で、特公昭６０−２４９０３号公報には、高温再生器７４で吸収液８３を加熱した外部からの蒸気８４のドレン水（復水）により、高温再生器７４へ向かう吸収液８３を加熱すべく熱回収器を設けた例が記載されている。詳しく述べると、図１１において、高温再生器７４へ向かう吸収液通路８８に高温熱交換器９１と並列となる熱回収器９３が設置され、この熱回収器９３において高温再生器７４で利用し得なかった熱エネルギを回収できるようにしている。
【０００７】
【発明が解決しようとする課題】
しかし、このような従来構造では、高温再生器７４からの蒸気ドレンを熱回収器９３で利用するにあたって、蒸気ドレンの液面制御について具体的に示されていない。
【０００８】
一般的に、このような蒸気を含んだドレン水を熱回収器で利用する場合、蒸気トラップにより蒸気の抜けを防止して熱回収効率を上げるようにされるが、この方法では、蒸気トラップの内部でドレン水の液面が形成されても配管部には液面が形成されない。すなわち、熱回収器の出口側に蒸気トラップを設けた場合は、熱回収器内のドレン系統にはドレン水の滞留がないので、ドレン水からの熱回収を行えない。
【０００９】
他方、熱回収器の入口側に蒸気トラップを設けた場合は、トラップ出口のドレン水が大気圧に低下するためフラッシュし、ドレン水の温度は概ね１００℃に低下する。このため、被加熱物質である吸収液の温度（概ね９０〜１４０℃）に比べてドレン水温度が低くなり、熱回収できない。
【００１０】
このように、蒸気ドレン水から吸収液へと熱回収するためには、熱回収器より上流側で蒸気ドレン水の液面を形成し、熱回収器内をドレン水で満水にする必要がある。
【００１１】
また、熱回収器の出口にオリフィスを設けることで、ドレン水の流量を制御して熱回収器内にドレン水の液面を形成することも考えられるが、この方法ではドレン量や圧力の変化に追従できない。
【００１２】
本発明は、以上の事情に鑑みてなされたもので、吸収液を再生する再生装置からの蒸気ドレン水の熱を効率良く回収できる吸収冷凍機を提供することを目的とする。
【００１３】
【課題を解決するための手段】
上記目的を達成するために、本発明の吸収冷凍機は、吸収器、蒸気を熱源とする再生装置、凝縮器および蒸発器を有し、前記蒸発器から冷水を得る吸収冷凍機であって、
前記再生装置からの蒸気ドレンにより再生装置に供給される吸収液を予熱する蒸気ドレン熱交換器と、
前記蒸気ドレン熱交換器へ前記蒸気ドレンを供給する蒸気ドレン導入通路内の液面レベルを検出する液面レベル検出器と、
前記液面レベルが所定値を越えたとき前記蒸気ドレン熱交換器からドレン水を排出するドレン排出通路を開放する開閉装置とを備えている。
【００１４】
上記構成によれば、蒸気ドレン導入通路内の液面レベルが所定値以下のとき、液面レベル検出器の検出値に応答して開閉装置がドレン排出通路を閉じ、これにより蒸気ドレン熱交換器の内部をドレン水で満水に保つことができるので、蒸気ドレン熱交換器での熱回収効率を向上させることができる。
【００１５】
本発明の好ましい実施形態では、前記液面レベル検出器および開閉装置が、フロート式蒸気トラップにより形成されている。このように構成した場合には、液面レベル検出器および開閉装置の設置を容易に行うことができる。
【００１６】
また、本発明の好ましい実施形態では、前記液面レベル検出器が前記液面レベルを検出して電気信号を発生するレベルセンサとされている。
【００１７】
さらに、本発明の好ましい実施形態では、前記再生装置が、前記吸収器からの吸収液を予熱する低温再生器と、蒸気を熱源として前記低温再生器からの吸収液を加熱し、吸収液が蒸発した冷媒蒸気を前記低温再生器に熱源として供給する高温再生器とを備え、前記高温再生器から前記蒸気ドレンが導出されている。このように構成した場合には、吸収液の再生を効率良く行うことができる。
【００１８】
また、本発明の好ましい実施形態では、前記低温再生器からの吸収液を高温再生器に供給する中間液通路に、高温再生器から吸収器へ向かう高温の吸収液を熱源として中間液通路の吸収液を予熱する高温熱交換器が設けられ、前記中間液通路に、前記高温熱交換器と並列に前記蒸気ドレン熱交換器が接続されている。このように構成した場合には、低温再生器から高温再生器へ供給される吸収液の予熱を効率良く行うことができる。
【００１９】
さらに、本発明の好ましい実施形態では、前記低温再生器からの吸収液を高温再生器に供給する中間液通路に、高温再生器から吸収器へ向かう高温の吸収液を熱源として中間液通路の吸収液を予熱する高温熱交換器が設けられ、前記中間液通路に、前記高温熱交換器と直列に前記蒸気ドレン熱交換器が接続されている。このように構成した場合には、蒸気ドレン熱交換器の設置を簡単な構成で行うことができる。
【００２０】
また、本発明の好ましい実施形態では、前記フロート式蒸気トラップが、前記蒸気ドレン導入通路に接続されて蒸気ドレンが導入されるフロート室と、隔壁によって前記フロート室から隔離された弁室とを有し、前記フロート室内の液面レベルに応じて上下動するフロートと、前記フロートを支持し支軸回りに回動するレバーとが前記フロート室内に配置されて前記液面レベル検出器を形成しており、前記支軸が前記隔壁を貫通してフロート室から弁室内に延びており、前記ドレン排出通路を開閉する前記開閉装置の弁体が前記支軸に連結されて弁室内に配置されている。この構成によれば、蒸気ドレン導入通路に通じるフロート室とドレン排出通路とを隔離した状態で円滑に作動する蒸気トラップが得られる。
【００２１】
【発明の実施の形態】
以下、本発明の好適な実施形態について図面を参照しながら説明する。
図１は本発明の第１の実施形態である蒸気加熱式二重効用形吸収冷凍機の概略構成図である。この吸収冷凍機は、図１１で示した従来例の場合と同様の吸収器１、再生装置２、凝縮器５および蒸発器６を有し、前記蒸発器６から冷水を得るようにしている。
【００２２】
吸収器１と蒸発器６は共通の真空容器からなり、蒸発器６では、高真空下で蒸発器管６ｐの外面に流下された冷媒液７ｗによって、蒸発器管６ｐを流れる水１１から蒸発潜熱を奪い、水１１を冷却する。吸収器１では、蒸発器６で発生した冷媒蒸気７ｇを吸収器管１ｐを流れる冷却水１２で冷却することにより、冷媒蒸気７ｇを吸収液１３に吸収させて、真空容器内を高い真空に保持するようにされている。
【００２３】
再生装置２は外部のボイラ等から供給される蒸気１４を熱源として、前記吸収器１からの吸収液１３を再生させるものであり、前記吸収器１と蒸発器６を構成する真空容器より圧力の高い容器からなる低温再生器３と高温再生器４とを備えている。高温再生器４では、外部から高温再生器管４ｐに熱源として蒸気１４を供給し、その蒸気１４の凝縮潜熱で冷媒７ｇを吸収液１３から分離蒸発させて、吸収液１３を加熱濃縮するようにされている。低温再生器３では、高温再生器４で吸収液１３から分離蒸発した冷媒蒸気７ｇを低温再生器管３ｐに熱源として供給し、その冷媒蒸気７ｇの凝縮潜熱で冷媒７ｇを吸収液１３から分離蒸発させて、吸収液１３を加熱濃縮する。
【００２４】
凝縮器５も前記吸収器１と蒸発器６を構成する真空容器より圧力の高い容器からなる。この凝縮器５では、吸収器管１ｐを流通した後に凝縮器管５ｐに供給される冷却水１２が、低温再生器３で蒸発した冷媒蒸気７ｇを冷却して凝縮させ、冷媒液７ｗを得る。凝縮器管５ｐを流通した冷却水１２は、図示しない冷却塔で冷却した後に吸収器管１ｐに循環される。
【００２５】
低温再生器管３ｐから導出される冷媒蒸気ドレンは、ドレン通路１５を経て凝縮器５に導入されて冷媒液７ｗとされる。
【００２６】
前記低温再生器３からの吸収液１３を高温再生器４に供給する中間液通路１８Ｂには、高温再生器４から吸収器１へ戻される高温の吸収液１３を熱源として前記中間液通路１８Ｂの吸収液１３を予熱する高温熱交換器２１が設けられている。なお、低温再生器３の吸収液１３の一部は吸収器１に戻される。また、前記吸収器１からの吸収液１３を低温再生器３に供給する稀液通路１８Ａには、高温再生器４および低温再生器３から吸収器１へ戻る吸収液１３を熱源として前記稀液通路１８Ａの吸収液１３を予熱する低温熱交換器２２が設けられている。
【００２７】
さらに、前記低温再生器３から高温再生器４に吸収液１３を供給する中間液通路１８Ｂには、前記高温熱交換器２１と並列に蒸気ドレン熱交換器２３が設けられている。この蒸気ドレン熱交換器２３は、前記高温再生器４からの蒸気ドレン２４により前記低温再生器３から高温再生器４に供給される吸収液１３を予熱するものである。また、高温再生器４から前記蒸気ドレン熱交換器２３に蒸気ドレン２４を供給する蒸気ドレン導入通路２５には、この蒸気ドレン導入通路２５内の液面レベルを検出する液面レベル検出器２６が接続されている。さらに、前記蒸気ドレン熱交換器２３からドレンを排出するドレン排出通路２７には、前記液面レベルが所定値を越えたときドレン排出通路２７を開放する開閉装置２８が設けられている。
【００２８】
この実施形態では、図２に示すように、前記液面レベル検出器２６および開閉装置２８が、フロート式蒸気トラップ３１により形成されている。これにより、液面レベル検出器２６および開閉装置２８の設置を容易に行うことができる。図３は、そのフロート式蒸気トラップ３１の具体的構成を示す側面断面図である。このフロート式蒸気トラップ３１では、ケース本体３３に蓋体３４をボルト３５で締結して構成されるケース３２内が、隔壁３６によりフロート室３７と弁室３８とに仕切られている。ケース本体３３には、前記フロート室３７を高温再生器４からの蒸気ドレン導入通路２５に連通させる上下２つの開口３９，４０が形成されている。蒸気ドレン導入通路２５内の蒸気ドレン２４は、導入管７１を通って下側の開口４０からフロート室３７内に入る。上側の開口３９は、均圧管７２を介して蒸気ドレン導入通路２５に連通しており、フロート室３７内のガス抜きを行ってフロート室３７内を蒸気ドレン導入通路２５内と同一の圧力に保持する。
【００２９】
前記フロート室３７には、フロート室３７内の液面レベルに応じて上下動するフロート４４と、このフロート４４を支持し支軸４６回りに回動するレバー４５とを配置して、前記液面レベル検出器２６が構成されている。フロート４４を支持する前記レバー４５は、図５に斜視図で示すように、概略コ字状の基体４７の中央部から突出する連結ピン４８の先端にフロート４４を連結したものであり、レバー基体４７の両端部４７ａ，４７ａは前記支軸４６を支持するフォーク状に形成されている。
【００３０】
図３のIV−IV矢視断面図を示す図４のように、レバー基体４７の両端部４７ａ，４７ａは、前記隔壁３６の両側面に配置され、レバー基体４７の両端部４７ａ，４７ａに連結される一対の支軸４６，４６が、隔壁３６を貫通してフロート室３７から弁室３８に延びて互いに対向している。各支軸４６の外端部は、図６に分解斜視図で示すように、レバー基体４７のフォーク状端部４７ａに挟まれた状態で、ビス５１によりフォーク状端部４７ａに締結される。図４の隔壁３６における各支軸４６の貫通部には、それぞれスリーブ４９が嵌着されており、これらのスリーブ４９を貫通して各支軸４６が支持されており、支軸４６の外周面に形成された複数の環状溝４６ａ（図６）とスリーブ４９の内周面との間に形成されるラビリンスにより、隔壁３６における各支軸４６の貫通部がシールされている。
【００３１】
各支軸４６の弁室３８内に延びる内端部同士は、図６に斜視図で示すようにコ字状の連結部材５０に連結されており、この連結部材５０の両側片５０ａ，５０ａ間に弁体５４（図４）に連結された連接バー５５の上端が連結ピン５６を介して揺動自在に連結されている。連接バー５５の下端は、図４に示すように連結ピン５６を介して弁体５４の上端に揺動自在に連結されている。
【００３２】
図３の蓋体３４には前記蒸気ドレン熱交換器２３からのドレンを弁室３８内に導入する導入口５７と、弁室３８からドレンを排出する排出口５８とが開口されている。弁室３８には、前記排出口５８に連通する弁座５９が設けられ、この弁座５９に前記弁体５４が昇降自在に設けられて、前記開閉装置２８が構成されている。弁体５４は上下に延びた弁軸５４ａに上下２つの弁体部５４ｂを設けたもので、弁座５９の対応する２つの弁座面５９ａに対して接触・離間して開閉動作する。これにより、フロート室３７の液面レベルが所定値を越えて図３に二点鎖線で示すようにフロート４４が上昇したとき、弁体５４が下動して開弁し、導入口５７から弁室５４内に導入された蒸気ドレン熱交換器２３からのドレンが、導出口５８から外部に排出される。
【００３３】
次に、上記吸収冷凍機による冷房運転の概略を説明する。蒸発器６は、高真空下で蒸発器管６ｐの外面に流下される冷媒液７ｗの蒸発によって、蒸発器管６ｐを流れる冷暖房の熱媒体である水１１から蒸発潜熱を奪い、水１１を冷水に冷却する。吸収器１は、冷却塔から循環供給されて吸収管１ｐを流れる冷却水１２で、前記蒸発器６で発生した冷媒蒸気７ｇを冷却することにより冷媒蒸気７ｇを吸収液１３に吸収させて、吸収器１と蒸発器６を構成する真空容器の内部を高い真空に保持する。
【００３４】
吸収器１の吸収液１３は、低温熱交換器２２を経て低温再生器３に供給される。低温熱交換器２２は、高温再生器４や低温再生器３から吸収器１に戻される途中の高温の吸収液１３を熱源として、低温再生器３に供給される途中の吸収液１３を予熱する。低温再生器３の低温再生器管３ｐには、高温再生器４で分離蒸発した冷媒蒸気７ｇが供給される。低温再生器３では、前記冷媒蒸気７ｇの凝縮潜熱で、低温再生器３に供給される吸収液１３から冷媒７ｇを分離蒸発させて、吸収液１３を加熱濃縮する。
【００３５】
低温再生器３で吸収液１３から分離蒸発された冷媒蒸気７ｇは凝縮器５に供給される。凝縮器５は、前記低温再生器３からの冷媒蒸気７ｇを、吸収器管１ｐを経て凝縮器管５ｐを流れる冷却水１２で冷却して冷媒液７ｗに凝縮する。その冷媒液７ｗは蒸発器６に供給される。また、低温再生器管３ｐを流れた後の蒸気ドレンも凝縮器５に供給されて、冷媒液７ｗに凝縮される。
【００３６】
低温再生器３で加熱濃縮された吸収液１３は、並列に配置された高温熱交換器２１および蒸気ドレン熱交換器２３を経て高温再生器４に供給される。また、低温再生器３の吸収液１３の一部は、高温再生器４からの吸収液１３と共に、吸収器１に戻される。高温熱交換器２１は、高温再生器４から吸収器１へ戻される高温の吸収液１３を熱源として、低温再生器３から高温再生器４へ供給される途中の吸収液１３を予熱する。また、蒸気ドレン熱交換器２３は、高温再生器４からの蒸気ドレン２４を熱源として、低温再生器３から高温再生器４へ供給される途中の吸収液１３を予熱する。このように、低温再生器３から高温再生器４へ供給される吸収液１３の予熱が並列に配置された高温熱交換器２１および蒸気ドレン熱交換器２３で行われるので、吸収液１３の予熱を熱効率良く行うことができる。
【００３７】
高温再生器４の高温再生器管４ｐには、外部のボイラ等の熱源から蒸気１４が供給される。高温再生器４は、高温再生器管４ｐに流される前記蒸気１４の凝縮潜熱で、低温再生器３から供給されてくる吸収液１３から冷媒７ｇを分離蒸発させて、吸収液１３を加熱濃縮する。このように、低温再生器３と高温再生器４とで２段階にわたって吸収液１３の再生が行われるので、その再生を熱効率良く行うことができる。高温再生器４において、吸収液１３から分離蒸発された冷媒蒸気７ｇは低温再生器３の低温再生器管３ｐに流される。また、高温再生器管４ｐからの蒸気ドレン２４は、蒸気ドレン導入通路２５より、途中の液面レベル検出器２６を経て蒸気ドレン熱交換器２３に導入される。
【００３８】
液面レベル検出器２６は、蒸気ドレン熱交換器２３のドレン入口側である蒸気ドレン導入通路２５のドレン水の液面レベルを検出する。この液面レベルが所定値以下のとき、液面レベル検出器２６の検出値に応答して、蒸気ドレン熱交換器２３のドレン出口側のドレン排出通路２７を開閉装置２８が閉じる。また、前記液面レベルが所定値を越えると、液面レベル検出器２６の検出値に応答して、開閉装置２８がドレン排出通路２７を開放し、蒸気ドレン熱交換器２３からドレン水が排出される。これにより、蒸気ドレン熱交換器２３の内部をドレン水で満水に保つことができ、蒸気ドレン熱交換器２３での熱回収効率を向上させることができる。
【００３９】
前記液面レベル検出器２６および開閉装置２８をフロート式蒸気トラップ３１で構成した図２の構成では、その蒸気トラップ３１のフロート室３７に導入されるドレン水の液面レベルが所定値以下のとき、図３に実線で示すようにフロート４４は下降位置にあって、開閉装置２８の弁体５４がドレン排出通路２７を閉じる。また、前記液面レベルが所定値を越えると、図３に二点鎖線で示すようにフロート４４は上動して、開閉装置２８の弁体５４がドレン排出通路２７を開放する。
【００４０】
図７は、本発明の第２の実施形態の要部を示す概略構成図である。この実施形態の吸収冷凍機は、図１〜図６に示した第１の実施形態において、フロート式蒸気トラップ３１が、高温再生器４から蒸気ドレン２４を蒸気ドレン熱交換器２３に供給する蒸気ドレン導入通路２５の途中に直接設けられている。すなわち、蒸気ドレン導入通路２５の上流側が蒸気トラップ３１のフロート室３７の上壁に設けた開口６９に接続され、蒸気ドレン導入通路２５の下流側が蒸気トラップ３１のフロート室３７の下壁に設けた開口７０に接続されている。
【００４１】
この実施形態の場合も、蒸気トラップ３のフロート室３７におけるドレン水の液面レベルが所定値を越えるまで、蒸気ドレン熱交換器２３からのドレン排出通路２７を開閉する開閉装置２８が開かないので、蒸気ドレン熱交換器２３の内部をドレン水で満水にすることができ、蒸気ドレン２４と吸収液１３との間での熱交換を効率良く行うことができる。フロート室３７での液面レベルが所定値を越えると、開閉装置２８が開いて、蒸気ドレン２４が外部に排出される。
【００４２】
なお、この実施形態において、蒸気トラップ３１の弁室３８に、その弁室３８内の温度が９０〜１００℃に上昇したとき開く弁６０を設けてもよい。このように構成することにより、弁室３８に蒸気が充満したとき、前記弁６０を開いて蒸気を外部に逃がすことができ、充満する蒸気で蒸気ドレン熱交換器２３からのドレンが弁室３８に導入できなくなるのを防止できる。
【００４３】
図８は、本発明の第３の実施形態の要部を示す。この実施形態の吸収冷凍機は、図１に示した第１の実施形態において、高温熱交換器２１と蒸気ドレン熱交換器２３とを直列に接続したものである。すなわち、低温再生器３から高温再生器４へ吸収液１３を供給する中間液通路１８Ｂに、上流側から順に、蒸気ドレン熱交換器２３と高温熱交換器２１とを直列に接続している。高温熱交換器２１では、高温再生器４から吸収器１へ戻される吸収液１３を熱源として、低温再生器３から高温再生器４へ向かう吸収液１３との間で熱交換を行うこと、および蒸気ドレン熱交換器２３では、高温再生器４からの蒸気ドレン２４を熱源として、低温再生器３から高温再生器４へ向かう吸収液１３との間で熱交換を行うことは、第１の実施形態の場合と同様である。
【００４４】
このように、高温熱交換器２１に対して、蒸気ドレン熱交換器２３を直列に接続することにより、蒸気ドレン熱交換器２３の設置を簡単な構成で行うことができる。
【００４５】
図９は、本発明の第４の実施形態の要部を示す。この実施形態の吸収冷凍機は、図１に示した第１の実施形態において、高温再生器４から蒸気ドレン熱交換器２３へ蒸気ドレン２４を導入する蒸気ドレン導入通路２５内におけるドレン水の液面レベルを検出する液面レベル検出器２６として、蒸気ドレン導入通路２５の途中に、図９に示す電極棒６５付きのリザーバ６４からなるレベルセンサ６３を設けるとともに、前記電極棒６５の電気的な検出信号に応答して開閉装置２８を開閉制御する弁駆動６６を設けている。すなわち、リザーバ６４の液面レベルが所定値より低いと、そのときの電極棒６５の検出信号に応答して弁駆動回路６６が蒸気ドレン熱交換器２３の出口側の開閉装置２８を閉じ、これにより、蒸気ドレン熱交換器２３内をドレン液で満水にでき、熱交換の効率を上げることができる。逆に、リザーバ６４の液面レベルが所定値を越えると、電極棒６５の検出信号に応答して弁駆動回路６６が蒸気ドレン熱交換器２３の出口側の開閉装置２８を開き、蒸気ドレン熱交換器２３からドレンが排出される。
【００４６】
図１０は、本発明の第５の実施形態の要部を示す。この実施形態の吸収冷凍機は、図１に示した第１の実施形態において、高温再生器４から蒸気ドレン熱交換器２３へ蒸気ドレン２４を導入する蒸気ドレン導入通路２５内でのドレン水の液面レベルを検出する液面レベル検出器２６として、蒸気ドレン導入通路２６の途中に、図１０に示すフロートスイッチ６７を設け、このフロートスイッチ６７により蒸気ドレン熱交換器２３のドレン入口側の液面レベルを検出し、その検出結果に応答する弁駆動６８により、開閉装置２８を開閉制御するようにしている。すなわち、蒸気ドレン熱交換器２３のドレン入口側の液面レベルが所定値より低いと、そのときのフロートスイッチ６７の検出信号に応答して弁駆動６８が蒸気ドレン熱交換器２３の出口側の開閉装置２８を閉じ、これにより、蒸気ドレン熱交換器２３内をドレン液で満水にでき、熱交換の効率を上げることができる。逆に、蒸気ドレン熱交換器２３のドレン入口側の液面レベルが所定値を越えると、フロートスイッチ６７の検出信号に応答して弁駆動６８が蒸気ドレン熱交換器２３の出口側の開閉装置２８を開き、蒸気ドレン熱交換器２３からドレンが排出される。
【００４７】
【発明の効果】
以上のように、本発明の吸収冷凍機によれば、蒸気ドレン熱交換器の上流の蒸気ドレン導入通路内の液面レベルが所定値を越えたときに初めて、蒸気ドレン熱交換器からのドレン排出通路を開放するから、蒸気ドレン熱交換器の内部をドレン水で満水に保つことができるので、蒸気ドレン熱交換器での熱回収効率が向上する。
【図面の簡単な説明】
【図１】本発明の第１の実施形態に係る吸収冷凍機の概略構成を示す系統図である。
【図２】同吸収冷凍機の具体例の要部を示す系統図である。
【図３】同吸収冷凍機におけるフロート式蒸気トラップの側面断面図である。
【図４】図３におけるIV−IV矢視断面図である。
【図５】前記蒸気トラップにおけるフロート部の斜視図である。
【図６】同蒸気トラップの要部を示す分解斜視図である。
【図７】本発明の第２の実施形態に係る吸収冷凍機の要部の概略構成を示す系統図である。
【図８】本発明の第３の実施形態に係る吸収冷凍機の要部の概略構成を示す系統図である。
【図９】本発明の第４の実施形態に係る吸収冷凍機の要部の概略構成を示す系統図である。
【図１０】本発明の第５の実施形態に係る吸収冷凍機の要部の概略構成を示す系統図である。
【図１１】従来例の概略構成を示す系統図である。
【符号の説明】
１…吸収器、２…再生装置、３…低温再生器、４…高温再生器、５…凝縮器、６…蒸発器、７ｇ…冷媒蒸気、１３…吸収液、１４…蒸気、１８Ｂ…中間液通路、２１…高温熱交換器、２３…蒸気ドレン熱交換器、２４…蒸気ドレン、２５…蒸気ドレン導入通路、２６…液面レベル検出器、２７…ドレン排出通路、２８…開閉装置、３１…フロート式蒸気トラップ、３６…隔壁、３７…フロート室、３８…弁室、４４…フロート、４５…レバー、４６…支軸、５４…弁体、６３…レベルセンサ
【図１】
0003728295.tif 000002
【図２】
0003728295.tif 000003
【図３】
0003728295.tif 000004
【図４】
0003728295.tif 000005
【図５】
0003728295.tif 000006
【図６】
0003728295.tif 000007
【図７】
0003728295.tif 000008
【図８】
0003728295.tif 000009
【図９】
0003728295.tif 000010
【図１０】
0003728295.tif 000011
【図１１】
0003728295.tif 000012